(57)【要約】  【課題】  自走式マッサージ装置を提供する。  【解決手段】  マッサージ装置本体、マッサージセット、第一巻取り弛緩帯及び第二巻取り弛緩帯を有する自走式マッサージ装置であって、本体は、第一端と第二端を有し、それぞれ定位部材が設けられ、保護カバーが形成され、下方において、本体の頂面に対応した位置にレールが設けられ、中央に長尺状ガイドレールが設けられ、駆動器に両側へ延びる伝動軸が貫設され、伝動軸により、マッサージ体が接続され、伝動軸の両端が、それぞれ複数のローラを利用して、本体のレール上を当接する。これらのローラが、それぞれ隔離し、第一巻取り弛緩帯は、一端が本体の第一端にある定位部材に嵌設され、他端が伝動軸に巻き囲み、第二巻取り弛緩帯は、一端が本体の第二端にある定位部材に嵌設され、他端が、伝動軸に巻き囲むように構成されたものである。【選択図】  図１
2016022372.tif 000002
【特許請求の範囲】
【請求項１】
マッサージ装置本体、マッサージセット、少なくとも二つの第一巻取り弛緩帯及び少なくとも二つの第二巻取り弛緩帯が含有される自走式マッサージ装置であって、
上記本体は、第一端と第二端を有し、上記第一端と上記第二端にそれぞれ、定位部材が設けられ、本体の両側に、それぞれ、上方へ向かって、奥へ湾曲する保護カバーが形成され、上記保護カバーの下方において、本体の頂面に対応した位置に、レールが設けられ、上記本体において、中央に、上記第一端と第二端の方向へ、長尺状ガイドレールが延び、上記ガイドレールの内部に、マッサージセットの駆動器が収納されて組み立てられる空間が形成され、ガイドレールの両側に、外方へ突出する長尺状縦溝が延び、
上記マッサージセットは、駆動器を有し、上記駆動器に、両側へ伸び出した伝動軸が貫設され、上記駆動器が、ガイドレールの内部空間に収納されて組み立てられる時、上記長尺状縦溝を通して上記伝動軸が伸び出し、上記駆動器は、上記ガイドレールの両側の外において、それそれ、上記伝動軸により、偏芯対称に、マッサージ体が連結され、上記伝動軸の両端が、複数のローラで、上記本体の上記レールに当接し、これらのローラが、それぞれ隔離し、上記ローラ同士が、適当に隔離することにより、マッサージセットの両側に、それぞれ、少なくとも、第一間隔空間及び第二間隔空間が形成され、
第一巻取り弛緩帯は、一端が、上記本体の第一端に設けてある定位部材に嵌設され、もう一端が、第一間隔空間において、上記伝動軸に巻き囲まれ、
第二巻取り弛緩帯は、一端が、上記本体の第二端に設けてある定位部材に嵌設され、もう一端が、第二間隔空間において、上記伝動軸に巻き囲まれることを特徴とする自走式マッサージ装置。
【請求項２】
上記第一及び二巻取り弛緩帯は、幅広い板状の織り帯体であることを特徴とする請求項１に記載の自走式マッサージ装置。
【請求項３】
上記ローラは、円形状の輪体であることを特徴とする請求項１に記載の自走式マッサージ装置。
【請求項４】
上記ローラは、楕円形状の輪体であり、上記楕円形状輪体の長軸及び短軸の差異により、上記ローラが、高低起伏に、レール上を転がることができ、同期に、マッサージセットを回り止めて指圧効果が得られることを特徴とする請求項１に記載の自走式マッサージ装置。
【請求項５】
上記本体、上記レール及び上記ガイドレールは、水平状態で延び、上記マッサージセットが、直線的に変位できることを特徴とする請求項１に記載の自走式マッサージ装置。
【請求項６】
上記本体、上記レール及び上記ガイドレールは、人体の曲線に応じて、湾曲状に造型され、上記マッサージセットが、上記湾曲状の本体に沿って、変位することを特徴とする請求項１に記載の自走式マッサージ装置。
【請求項７】
上記レールは、本体の上方表面から突出することを特徴とする請求項１に記載の自走式マッサージ装置。
【請求項８】
上記レールは、表面が、波状起伏に造型されることを特徴とする請求項１に記載の自走式マッサージ装置。
【請求項９】
上記ガイドレールは、頂部が、分離可能であり、駆動器を実装した後、閉鎖状態で結合されることを特徴とする請求項１に記載の自走式マッサージ装置。
【請求項１０】
上記第一端及び上記第二端は、上方にそれぞれ水平状態で棒状の定位部材が設置されることを特徴とする請求項１に記載の自走式マッサージ装置。
【発明の詳細な説明】
【技術分野】
【０００１】
本発明は、自走式マッサージ装置に関するものであり、さらに詳しくは、ローラが滑って、マッサージ装置が停滞することを防止することができる自走式マッサージ装置に関するものである。
【背景技術】
【０００２】
本発明者は、従来のマッサージ装置が、人体の所定部位だけをマッサージするという欠点を解消するため、変位しながら、双横振れマッサージ部材を駆動できるマッサージ機構を開発した。上記マッサージ機構は、制限枠とマッサージセットを有し、また、マッサージセットは、駆動器を有し、上記駆動器内に、両側へ伸び、欠け口を有する心軸が貫設され、伸び出した心軸に、更に、マッサージ部材が固定されるものであり、その特徴は、上記制限枠の一端に、開放部があり、もう一端と両側は、上方へ湾曲されて、それぞれ、ストッパーと摺動レールが形成されるものであった。また、二つの摺動レールは、内側に、それぞれ、レールが設けられ、上記レールは、摺動レールの中心よりも低くなり、制限枠は、上方表面において、中央に、二つの隔離されてほぼ突出した凸縁により、上記位置に摺動溝が形成され、駆動器の底部に、比較的小さい突出ブロックが設けられ、心軸の両側端に、奥から外へ、順にローラと軸受が結合され、上記構成により、マッサージセットが、突出ブロックで、制限枠の摺動溝に係合し、ローラが、レールに当接し、軸受が、摺動レールへ滑り込み、そのため、マッサージセットを、制限枠の開放部から、全体として、セットできるものであった。また、マッサージセットをセットする時、その軸受の上周縁面とローラの下周縁面が、それぞれ、確実に、摺動レールの頂面とレールの上に密着でき、これにより、上記高低差のずれで、制作動が得られ、マッサージセットがセットされた後、更に、駆動器から、電源線を引き出して制限枠に接続し、そして、駆動器が作動する時、心軸により、マッサージ部材とローラとが、回転するように、連動され、マッサージセットが、変位しながら、足部の複数の部位をマッサージできるものであった。
【０００３】
しかし、上記構成は、ローラとレールとの当接だけで発生するローラとレールとの間の摩擦抵抗を利用するものであるから、マッサージセットが変位する場合、動力が、確実に伝達することができず、ローラが、マッサージセットと一緒にその位置において、滑って停滞する恐れがあり、実用的とはいえないものであることが指摘された。
【０００４】
従って、上記欠点を解消可能なマッサージ装置の開発が切望されてきた。
【発明の概要】
【発明が解決しようとする課題】
【０００５】
従って、本発明の主な目的は、第一巻取り弛緩帯と第二巻取り弛緩帯を、逆方向に設置することにより、巻取りと弛緩の形態で、マッサージセットに対して、引張及び開放を行うため、マッサージセットが、ローラが滑ることによる停滞を防止することができ、そのため、動力が、より確実に伝達されて、人体の各部位に対して、マッサージを行う自走式マッサージ装置を提供することにある。
【０００６】
本発明の他の目的は、第一巻取り弛緩帯と第二巻取り弛緩帯を、逆方向に設置することにより、構成の簡素化や作動の確実性の利点が得られる自走式マッサージ装置を提供することにある。
【課題を解決するための手段】
【０００７】
そこで、本発明者は、上記目的を達成するため鋭意検討を重ねた結果、下記の通りの発明に到達した。
【０００８】
すなわち、本発明に係る自走式マッサージ装置は、マッサージ装置本体、マッサージセット、少なくとも二つの第一巻取り弛緩帯、及び少なくとも二つの第二巻取り弛緩帯を有し、上記本体は、第一端と第二端を有し、第一端と第二端に、それぞれ、水平に、棒状の定位部材が設置され、延び出した上記定位部材に、巻取り弛緩帯の一端が嵌設され、また、本体の両側に、それぞれ、上方へ向かって、奥へ湾曲される保護カバーが形成され、上記保護カバーは、下方において、本体の頂面に対応した位置に、レールが設置され、また、本体の中央に、第一端及び第二端の方向へ伸びる長尺状ガイドレールがあり、上記ガイドレールの内部において、マッサージセットの駆動器を組み立てて収納するための空間が形成され、ガイドレールの両側において、それぞれ、外方へ貫通する長尺状縦溝があり、マッサージセットは、減速機とモーターからなる駆動器を有し、駆動器に、両側から延び出した伝動軸が貫設され、駆動器が、ガイドレールの内部空間にセットする時、伝動軸が、長尺状縦溝を利用して、伸び出し、そのため、駆動器が、ガイドレールの両外側において、それぞれ、伝動軸を利用して、偏芯対称の形態に、マッサージ体が結合され、また、伝動軸の両端が、複数のローラで、本体のレール上を当接し、これらのローラが、それぞれ、隔離し、ローラの適当な隔離により、マッサージセットの両側に、それぞれ、少なくとも第一間隔空間と第二間隔空間が形成され、第一巻取り弛緩帯は、幅広い板状の織り帯体で、その一端が、本体の第一端の定位部材に固定され、もう一端が、第一間隔空間中において、伝動軸に対して、巻き囲みを行い、また、第二巻取り弛緩帯は、幅広い板状の織り帯体で、その一端が、本体の第二端の定位部材に固定され、もう一端が、第二間隔空間中において、伝動軸に対して、巻き囲みを行い、これにより、上記自走式マッサージ装置が構成される。
【０００９】
かくして、請求項１に係る発明によれば、
マッサージ装置本体、マッサージセット、少なくとも二つの第一巻取り弛緩帯及び少なくとも二つの第二巻取り弛緩帯が含有される自走式マッサージ装置であって、
上記本体は、第一端と第二端を有し、上記第一端と上記第二端にそれぞれ、定位部材が設けられ、本体の両側に、それぞれ、上方へ向かって、奥へ湾曲する保護カバーが形成され、上記保護カバーの下方において、本体の頂面に対応した位置に、レールが設けられ、上記本体において、中央に、上記第一端と第二端の方向へ、長尺状ガイドレールが延び、上記ガイドレールの内部に、マッサージセットの駆動器が収納されて組み立てられる空間が形成され、ガイドレールの両側に、外方へ突出する長尺状縦溝が延び、
上記マッサージセットは、駆動器を有し、上記駆動器に、両側へ伸び出した伝動軸が貫設され、上記駆動器が、ガイドレールの内部空間に収納されて組み立てられる時、上記長尺状縦溝を通して上記伝動軸が伸び出し、上記駆動器は、上記ガイドレールの両側の外において、それそれ、上記伝動軸により、偏芯対称に、マッサージ体が連結され、上記伝動軸の両端が、複数のローラで、上記本体の上記レールに当接し、これらのローラが、それぞれ隔離し、上記ローラ同士が、適当に隔離することにより、マッサージセットの両側に、それぞれ、少なくとも、第一間隔空間及び第二間隔空間が形成され、
第一巻取り弛緩帯は、一端が、上記本体の第一端に設けてある定位部材に嵌設され、もう一端が、第一間隔空間において、上記伝動軸に巻き囲まれ、
第二巻取り弛緩帯は、一端が、上記本体の第二端に設けてある定位部材に嵌設され、もう一端が、第二間隔空間において、上記伝動軸に巻き囲まれることを特徴とする自走式マッサージ装置が提供される。
【００１０】
請求項２に係る発明によれば、上記第一及び二巻取り弛緩帯は、幅広い板状の織り帯体であることを特徴とする請求項１に記載の自走式マッサージ装置が提供される。
【００１１】
請求項３に係る発明によれば、上記ローラは、円形状の輪体であることを特徴とする請求項１に記載の自走式マッサージ装置が提供される。
【００１２】
請求項４に係る発明によれば、上記ローラは、楕円形状の輪体であり、上記楕円形状輪体の長軸及び短軸の差異により、上記ローラが、高低起伏に、レール上を転がることができ、同期に、マッサージセットを回り止めて指圧効果が得られることを特徴とする請求項１に記載の自走式マッサージ装置が提供される。
【００１３】
請求項５に係る発明によれば、上記本体、上記レール及び上記ガイドレールは、水平状態で延び、上記マッサージセットが、直線的に変位できることを特徴とする請求項１に記載の自走式マッサージ装置が提供される。
【００１４】
請求項６に係る発明によれば、上記本体、上記レール及び上記ガイドレールは、人体の曲線に応じて、湾曲状に造型され、上記マッサージセットが、上記湾曲状の本体に沿って、変位することを特徴とする請求項１に記載の自走式マッサージ装置が提供される。
【００１５】
請求項７に係る発明によれば、上記レールは、本体の上方表面から突出することを特徴とする請求項１に記載の自走式マッサージ装置が提供される。
【００１６】
請求項８に係る発明によれば、上記レールは、表面が、波状起伏に造型されることを特徴とする請求項１に記載の自走式マッサージ装置が提供される。
【００１７】
請求項９に係る発明によれば、上記ガイドレールは、頂部が、分離可能であり、駆動器を実装した後、閉鎖状態で結合されることを特徴とする請求項１に記載の自走式マッサージ装置が提供される。
【００１８】
請求項１０に係る発明によれば、上記第一端及び上記第二端は、上方にそれぞれ水平状態で棒状の定位部材が設置されることを特徴とする請求項１に記載の自走式マッサージ装置が提供される。
【発明の効果】
【００１９】
本発明は、上記の通りの構成からなり、後述するように、ローラが滑ることにより、マッサージセットの移動が停滞するという欠点を解消し、動力の伝達が確実に行うことができ、人体の各部位について広くマッサージを行うことができる。また、装置の構造が簡素であると共に、作動が確実であるという効果も奏する。
【発明を実施するための最良の形態】
【００２０】
以下、図面を参照しながら、本発明の特徴や技術内容について、詳しく説明するが、それらの図面等は、参考や説明のためのものであり、本発明は、それらによって限定されるものではない。
【００２１】
図１に示すように、本発明に係るマッサージ装置は、本体10やマッサージセット20及び少なくとも二つの第一巻取り弛緩帯30と少なくとも二つの第二巻取り弛緩帯40がある。本体10は、第一端11と第二端12があり、第一端11と第二端12の上に、それぞれ、水平に、棒状の定位部材13が設置される。延び出した上記定位部材13に、巻取り弛緩帯30、40の一端が固定され、本体10の両側において、それぞれ、上へ向かって、奥へ湾曲する保護カバー14が形成される。上記保護カバー14の下方において、本体10の頂面に対応した位置に、レール15が形成され、本体10は、中央において、第一端11や第二端12の方向に向かって伸びる長尺状ガイドレール16が設置される。上記ガイドレール16の内部に、マッサージセット20の駆動器21が組み立てられて収納される空間が形成される。ガイドレール16の両側に、それぞれ、外方へ、長尺状縦溝17が貫通する。マッサージセット20は、減速機とモーターからなる駆動器21を有し、駆動器21に、両側へ延び出した伝動軸22が貫設され、駆動器21が、ガイドレール16の内部空間に組み立てられた時、伝動軸22が、長尺状縦溝17を通して伸び出し、駆動器21が、ガイドレール16の両側の外において、それぞれ、伝動軸22を利用して、偏芯対称形態に、マッサージ体23が設置される。また、伝動軸22の両端が、複数のローラ24で、本体10のレール15上を当接し、これらのローラ24が、互いにそれぞれ、隔離され、ローラ24の適当な隔離を利用して、マッサージセット20の両側において、それぞれ、少なくとも、第一間隔空間25と第二間隔空間26が形成される。第一巻取り弛緩帯30は、幅広い板状の織り帯体で、その一端が、本体10の第一端11の定位部材13に固定され、もう一端が、第一間隔空間25において、伝動軸22に対して、巻き囲むことを行う。第二巻取り弛緩帯40は、幅広い板状の織り帯体で、その一端が、本体10の第二端12の定位部材13に固定され、もう一端が、第二間隔空間26において、伝動軸22に対して、巻き囲むことを行う。
【００２２】
本発明に係る自走式マッサージ装置によれば、マッサージセット20を稼動すると、駆動器21を利用し、伝動軸22により、マッサージ体23が連動されて、偏芯回転揺動し、マッサージ体23で、人体に対して、揉みや押さえのマッサージを行い、伝動軸22の転動により、ローラ24が、レール15上において、回転するようになり、それとともに、マッサージセット20が、全体として、第一端11や第二端12の方向へ変位でき、第一巻取り弛緩帯30と第二巻取り弛緩帯40を設置することにより、巻取りや弛緩の形態に、変位でき、マッサージセット20が滑って停滞することを防止でき、動力が、確実に伝達され、マッサージセット20が、図２及び図３で示すように、第一端11の方向へ近づく時、その第一巻取り弛緩帯30が巻取り、それと同時に、第二巻取り弛緩帯40が弛緩し、第一巻取り弛緩帯30の巻き取る時の引張力を利用して、マッサージセット20を、第一端11の方向へ変位するように引張る。逆に、マッサージセット20が、第二端12の方向へ近づく時、その第二巻取り弛緩帯40が巻取り、それと同時に、第一巻取り弛緩帯30が弛緩する。
【００２３】
本発明に係る自走式マッサージ装置は、ローラ24が、円形状の輪体である。
【００２４】
本発明に係る自走式マッサージ装置は、ローラ24が、図４及び図５で示すように、楕円形状の輪体であり、上記楕円形状輪体の長軸及び短軸の差異により、ローラ24が、高低起伏に、レール15上を転がることができ、同期に、マッサージセット20を回り止めることにより指圧効果を奏することができる。
【００２５】
本発明に係る自走式マッサージ装置によれば、本体10とレール15及びガイドレール16は、水平に伸び、マッサージセット20が、直線的に変位することができる。
【００２６】
本発明に係る自走式マッサージ装置によれば、本体10とレール15及びガイドレール16は、人体の曲線に応じて、図６に示すように、湾曲状に造型され、マッサージセット20が、上記湾曲状の本体10に沿って、変位することができる。
【００２７】
本発明に係る自走式マッサージ装置によれば、レール15が、本体10の上方表面から突出する形状を有する。
【００２８】
本発明に係る自走式マッサージ装置によれば、レール15は、表面が、波状起伏の形状に造型されるので、マッサージセット20が、ローラ24で、上記レール15上を転がる場合において、図７に示すように、同期に、振動の効果が得られる。
【００２９】
本発明に係る自走式マッサージ装置は、ガイドレール16の頂部が、分離状になり、駆動器21がセットされた後、閉鎖状態で結合される。
【００３０】
上記自走式マッサージ装置によれば、
１.  第一巻取り弛緩帯30と第二巻取り弛緩帯40を、逆方向に設置することにより、巻取り及び弛緩の形態で、マッサージセット20に対して、引張り及び開放を行い、マッサージセット20が、ローラ24が滑ることにより、停滞することを防止でき、動力が、より確実に伝達されて、人体の各部位に対して、マッサージを行うことができる。
２．第一巻取り弛緩帯30と第二巻取り弛緩帯40を、逆方向に設置することにより、装置の構造の簡素化や作動の確実性の利点が得られる。
【００３１】
以上は、本発明の好適な実施形態であり、本発明は、それらによって限定されることが無く、本発明に係わる特許請求の範囲や明細書の内容に基づいて行った等価の変更や修正は、全てが、本発明の範囲内に含まれる。
【図面の簡単な説明】
【００３２】
【図１】本発明の第一実施形態に係る自走式マッサージ装置の斜視図である。
【図２】本発明の第一実施形態に係る自走式マッサージ装置の第一巻取り弛緩帯でマッサージセットを補助的に引く場合の状態図である。
【図３】本発明の第一実施形態に係る自走式マッサージ装置の第一巻取り弛緩帯でマッサージセットを補助的に引く場合の他の角度を示す状態図である。
【図４】本発明の第二実施形態に係る自走式マッサージ装置の斜視図である。
【図５】本発明の第二実施形態に係る自走式マッサージ装置の作動図である。
【図６】本発明の第三実施例形態に係る自走式マッサージ装置の作動図である。
【図７】本発明の第四実施例形態に係る自走式マッサージ装置の作動図である。
【符号の説明】
【００３３】
10  マッサージ装置本体
11  第一端
12  第二端
13  定位部材
14  保護カバー
15  レール
16  ガイドレール 
17  長尺状縦溝
20  マッサージセット
21  駆動器
22  伝動軸
23  マッサージ体
24  ローラ
25  第一間隔空間
26  第二間隔空間
30  第一巻取り弛緩帯
40  第二巻取り弛緩帯
【図１】
2016022372.tif 000003
【図２】
2016022372.tif 000004
【図３】
2016022372.tif 000005
【図４】
2016022372.tif 000006
【図５】
2016022372.tif 000007
【図６】
2016022372.tif 000008
【図７】
2016022372.tif 000009